(57)【特許請求の範囲】
【請求項１】
遊技島台に設けられる上部島枠と下部島枠との間に形成される設置空間に遊技機の外枠を固定する遊技機固定装置において、
前記遊技機固定装置のうち前記下部島枠に前記外枠の下辺部分を固定する下側遊技機固定装置は、
前記外枠の下辺部分の前面を支持する下側支持部材と、
前記外枠の下辺部分に対する前方又は下方への押圧及びその押圧解除が可能なように前記下部島枠の上面に移動可能に取り付けられて、前記下側支持部材との間で前記外枠を固定する下側固定部材と、を備え、
前記下側支持部材は、前記外枠の下辺部分の前面を支持する状態と当該支持を解除する状態との間で移行可能に前記下部島枠の上面の取付部に取り付けられると共に、前記外枠を支持した状態で前記取付部が前記外枠の下辺底面に被覆され、
前記下側支持部材が前記外枠の支持を解除した状態で前記外枠の下辺部分を前記設置空間に対して前方から水平方向に着脱可能としたことを特徴とする遊技機固定装置。
【請求項２】
前記下側支持部材は、前記下部島枠上に設けられた取付凹部への嵌入が可能な取付片部と、該取付片部が前記取付凹部に嵌入した状態で前記外枠を前方から支持する支持片部と、を有した断面折曲形状に形成され、前記取付片部の前記取付凹部に対する嵌入及びその嵌入解除によって前記外枠の下辺部分の前面を支持する状態と当該支持を解除する状態との間で移行可能であることを特徴とする請求項１記載の遊技機固定装置。
【請求項３】
前記下側支持部材は、当該下側支持部材を前記下部島枠にビス止めするための取付板と、蝶番部を介して前記取付板に取り付けられて該取付板の板面に対して平行になる位置と垂直になる位置との間で移行可能に設けられた支持板と、から構成され、
前記支持板は、前記取付板の板面に対して平行になる位置に移行して前記外枠の支持を解除する状態となる一方、前記取付板の板面に対して垂直になる位置に移行して前記外枠を支持する状態となることを特徴とする請求項１記載の遊技機固定装置。
【請求項４】
前記下側遊技機固定装置は、さらに、前記下側固定部材が前記外枠の下辺部分の裏面を押圧する方向に弾性力で付勢しながら当該下側固定部材を保持する下側弾性押圧保持手段を備えたことを特徴とする請求項１乃至請求項３のいずれかに記載の遊技機固定装置。
【請求項５】
前記下側遊技機固定装置は、さらに、前記外枠の下辺部分の内側面の平坦面を押圧固定する位置と当該平坦面の押圧固定を解除する位置との間で平行移動が可能な押圧固定部材を備えたことを特徴とする請求項１乃至請求項３のいずれかに記載の遊技機固定装置。
【発明の詳細な説明】
【技術分野】
【０００１】
本発明は、遊技島台に設けられる上部島枠と下部島枠との間に形成される設置空間に遊技機の外枠を固定する遊技機固定装置に関するものである。
【背景技術】
【０００２】
従来、一般に、遊技島台に列設されるパチンコ機等の遊技機は、遊技島台に設けられる長尺板状の上部島枠と下部島枠との間に形成される設置空間に設置され、この上部又は下部の島枠と遊技機を構成する木製の外枠との間で釘が打ち込まれることにより、前後方向への傾斜角度（所謂「ねかせ角度」）を付けて遊技島台に固定されるようになっていた。ところが、近年では、遊技機を機種交換するサイクルが短くなったことで、遊技機の外枠との間で島枠に釘を打ち込む機会が増加しており、島枠には、釘打ちによって生じた無数の穴が残るようになっていた。このため、新しく遊技機を入れ替えようとしても、島枠に無数の穴が残った状態となり、このような無数の穴が邪魔をして、遊技機を正確に島枠に固定することができないという問題が生じていた。
そこで、島枠を遊技機の外枠との間で釘打ちすることなく、遊技機を固定するようにしたもの（例えば、特許文献１及び特許文献２）が提案されている。特許文献１に記載の構成は、下部島枠の上面に断面凹形状のスライド受けを設けて、該スライド受け内に外枠の下辺部分を嵌め込んで固定するようになっている。特許文献２に記載の構成は、上部島枠と下部島枠との間で一側端が回転自在に軸支された回動ブラケットを備え、この回動ブラケットに側方からスライド装着された遊技機の外枠の上辺部分及び下辺部分をそれぞれ上固定ネジ及び下固定ネジによって固定するようになっている。
【先行技術文献】
【特許文献】
【０００３】
【特許文献１】特開平７−２５５９３３号公報（図４）
【特許文献２】特開２００２−１３６７５５号公報（図６、図９）
【発明の概要】
【発明が解決しようとする課題】
【０００４】
ところが、上記特許文献１の構成によれば、遊技機の設置作業において、外枠を下部島枠上の設置空間に挿入する際、外枠の下辺部分が断面凹形状をなすスライド受けの前端突起部分と当ってしまい、当該前端突起部分が外枠の設置空間内への挿入を阻害することになる。このため、設置空間の高さ寸法（下部島枠の上面から上部島枠の下面までの高さ寸法）が遊技機（外枠）の高さ寸法よりも若干大きめに設定されている程度の一般的な遊技島台では、スライド受けの前端突起部分が邪魔になり遊技機の設置作業が非常に困難になってしまう。また、このような問題点を改善するために、スライド受けにおける前端突起部分の高さ寸法を低く設定すると、若干なりとも外枠の設置空間内への挿入作業、言い換えれば遊技機の設置作業が容易になるものの、その反面、スライド受けが外枠を嵌入固定する部分が浅くなってしまい、遊技機が設置空間から外れ易くなってしまうという問題が生じる。
一方、上記特許文献２の構成によれば、遊技機の外枠を側方からスライド装着する回動ブラケットの一側端を回転自在に軸支して取り付けることで、軸支側の側方には、回転用として無駄なスペースを設ける必要がある。然も、このような構成において、各遊技機（外枠）間に玉貸機を配置するような場合には、回動ブラケットを開放する際に回動ブラケットの軸支側の側端部分が玉貸機にあたって遊技機の取り付け作業あるいは取り外し作業の邪魔になり、作業性を低下させるという問題が生じる。
本発明は、上記した事情に鑑みなされたもので、その目的とするところは、広い設置空間を設けることなく遊技機をしっかりと設置空間内に設置することができると共に、遊技機の取り付け及び取り外しの作業性を高めることができる遊技機固定装置を提供することにある。
【課題を解決するための手段】
【０００５】
上記した目的を達成するために、請求項１の発明においては、遊技島台に設けられる上部島枠と下部島枠との間に形成される設置空間に遊技機の外枠を固定する遊技機固定装置において、前記遊技機固定装置のうち前記下部島枠に前記外枠の下辺部分を固定する下側遊技機固定装置は、前記外枠の下辺部分の前面を支持する下側支持部材と、前記外枠の下辺部分に対する前方又は下方への押圧及びその押圧解除が可能なように前記下部島枠の上面に移動可能に取り付けられて、前記下側支持部材との間で前記外枠を固定する下側固定部材と、を備え、前記下側支持部材は、前記外枠の下辺部分の前面を支持する状態と当該支持を解除する状態との間で移行可能に前記下部島枠の上面の取付部に取り付けられると共に、前記外枠を支持した状態で前記取付部が前記外枠の下辺底面に被覆され、前記下側支持部材が前記外枠の支持を解除した状態で前記外枠の下辺部分を前記設置空間に対して前方から水平方向に着脱可能としたことを特徴とする。
【０００６】
また、請求項２の発明においては、請求項１記載の遊技機固定装置において、前記下側支持部材は、前記下部島枠上に設けられた取付凹部への嵌入が可能な取付片部と、該取付片部が前記取付凹部に嵌入した状態で前記外枠を前方から支持する支持片部と、を有した断面折曲形状に形成され、前記取付片部の前記取付凹部に対する嵌入及びその嵌入解除によって前記外枠の下辺部分の前面を支持する状態と当該支持を解除する状態との間で移行可能であることを特徴とする。
【０００７】
また、請求項３の発明においては、請求項１記載の遊技機固定装置において、前記下側支持部材は、当該下側支持部材を前記下部島枠にビス止めするための取付板と、蝶番部を介して前記取付板に取り付けられて該取付板の板面に対して平行になる位置と垂直になる位置との間で移行可能に設けられた支持板と、から構成され、前記支持板は、前記取付板の板面に対して平行になる位置に移行して前記外枠の支持を解除する状態となる一方、前記取付板の板面に対して垂直になる位置に移行して前記外枠を支持する状態となることを特徴とする。
【０００８】
また、請求項４の発明においては、請求項１乃至請求項３のいずれかに記載の遊技機固定装置において、前記下側遊技機固定装置は、さらに、前記下側固定部材が前記外枠の下辺部分の裏面を押圧する方向に弾性力で付勢しながら当該下側固定部材を保持する下側弾性押圧保持手段を備えたことを特徴とする。
【０００９】
また、請求項５の発明においては、請求項１乃至請求項３のいずれかに記載の遊技機固定装置において、前記下側遊技機固定装置は、さらに、前記外枠の下辺部分の内側面の平坦面を押圧固定する位置と当該平坦面の押圧固定を解除する位置との間で平行移動が可能な押圧固定部材を備えたことを特徴とする。
【発明の効果】
【００１０】
請求項１の発明においては、遊技機（外枠）を設置空間内に設置する場合、先ず、外枠の下辺前面の支持を解除した状態に下側支持部材を移行させてから、外枠を設置空間に対して前方から水平方向に挿入する。そして、外枠が設置空間内に配置された状態で、外枠の下辺前面を支持する状態に下側支持部材を移行し、次いで、外枠の下辺部分を押圧するように下側固定部材を移動させて下側支持部材と下側固定部材との間で外枠を固定する。これにより、広い設置空間を設けることなく遊技機をしっかりと設置空間内に設置することができると共に、遊技機の取り付け及び取り外しの作業性を高めることができる。また、下側固定部材との間で外枠を固定する下側支持部材は、外枠を支持した状態で下部島枠上での取付部が外枠の下辺底面に被覆される。このため、遊技者側から不正に下側支持部材による外枠の支持状態を解除して、遊技機に対して不正行為を行うようなことを防止することができる。
【００１１】
また、請求項２の発明においては、下部島枠上に設けられた取付凹部への嵌入が可能な取付片部と、該取付片部が取付凹部に嵌入した状態で外枠を前方から支持する支持片部と、を有した断面折曲形状に下側支持部材を形成する。そして、取付片部の取付凹部に対する嵌入及びその嵌入解除によって外枠の下辺部分の前面を支持する状態と当該支持を解除する状態との間で下側支持部材を移行可能にすることで、外枠の下辺前面を支持した状態と当該支持を解除した状態との間で下側支持部材を移行する構成を簡単な構造で具現化することができる。
【００１２】
また、請求項３の発明においては、下側支持部材を下部島枠にビス止めするための取付板と、蝶番部を介して取付板に取り付けられて該取付板の板面に対して平行になる位置と垂直になる位置との間で移行可能に設けられた支持板と、から下側支持部材を構成する。そして、取付板の板面に対して支持板を平行になる位置に移行して外枠の支持を解除する一方、取付板の板面に対して支持板を垂直になる位置に移行して外枠を支持することで、外枠の下辺前面を支持した状態と当該支持を解除した状態との間で下側支持部材を移行する構成を簡単な構造で具現化することができる。
【００１３】
また、請求項４の発明においては、下側固定部材が外枠の下辺部分の裏面を押圧する方向に弾性力で付勢しながら当該下側固定部材を保持する下側弾性押圧保持手段を備える。これにより、下側支持部材と下側固定部材との間で外枠を挟持固定した状態において、下側固定部材は、下側弾性押圧保持手段によって外枠の下辺裏面を押圧する方向に付勢されながら保持されるので、遊技島台に設置される全ての遊技機を均等に強い保持力で固定することができる。
【００１４】
また、請求項５の発明においては、外枠の下辺部分の内側面の平坦面を押圧固定する位置と当該平坦面の押圧固定を解除する位置との間で平行移動が可能な押圧固定部材を備える。これにより、下側支持部材と下側固定部材との間で外枠を挟持固定した状態において、押圧固定部材で外枠の下辺部分の内側面の平坦面を押圧固定することができるので、遊技島台に設置される遊技機を強い保持力で固定することができる。
【図面の簡単な説明】
【００１５】
【図１】遊技島台の内部構造の一部と玉貸機、外枠、及び間仕切りを示す斜視図である。
【図２】遊技島台を構成する支承板上に設けられる下側遊技機固定装置を示す斜視図である。
【図３】外枠と下側遊技機固定装置を構成する外枠押込機構とを示す斜視図である。
【図４】外枠と下側遊技機固定装置を構成する外枠押込機構及び外枠支持機構とを示す斜視図である。
【図５】下側遊技機固定装置によって下辺部分が固定された外枠を示す斜視図である。
【図６】外枠押込機構を示す斜視図である。
【図７】外枠押込機構を示す縦断面図である。
【図８】下側遊技機固定装置による外枠の固定方法を示す側面図である。
【図９】下側遊技機固定装置による外枠の固定方法を示す側面図である。
【図１０】下側遊技機固定装置による外枠の固定方法を示す側面図である。
【図１１】外枠及び上側遊技機固定装置が取り付けられた上部島枠を示す斜視図である。
【図１２】上部島枠に取り付けられた上側遊技機固定装置を示す斜視図である。
【図１３】変形例における外枠支持機構が取り付けられた下部島枠と外枠とを示す分解斜視図である。
【図１４】変形例における外枠支持機構が取り付けられた下部島枠と外枠とを示す分解斜視図である。
【図１５】変形例における外枠支持機構が取り付けられた下部島枠と外枠とを示す分解斜視図である。
【図１６】変形例における外枠支持機構を備えた下側遊技機固定装置による外枠の固定方法を示す側面図である。
【図１７】変形例における外枠支持機構を備えた下側遊技機固定装置による外枠の固定方法を示す側面図である。
【図１８】変形例における外枠支持機構を備えた下側遊技機固定装置による外枠の固定方法を示す側面図である。
【図１９】変形例における外枠押込機構が取り付けられた遊技島台を示す斜視図である。
【図２０】変形例における外枠押込機構を示す斜視図である。
【発明を実施するための形態】
【００１６】
以下、図面を参照して本発明の実施形態について説明する。先ず、図１を参照して、本実施形態に係る遊技島台１の概略構成について説明する。図１は、遊技島台１の内部構造の一部と玉貸機２、外枠９、及び間仕切り８を示す斜視図である。
【００１７】
図１に示すように、遊技島台１には、複数の遊技機（図示しない）を取り付けるための上部島枠４と、下部島枠５と、がそれぞれ遊技機の高さ寸法とほぼ同一の間隔をあけて当該遊技島台１の長手方向に沿って掛け渡されている。下部島枠５の前端側は、遊技者が玉箱などを載置するためのいわゆるカウンター板６として突設されている。上部島枠４は、遊技機の上方に配置される図示しない補給樋などを覆い隠すための幕板１４が取り付けられる固定枠のうちの下側の枠としての機能を兼ね備えている。下部島枠５の下方には、遊技島台１で循環使用されるパチンコ玉を貯留するための図示しない貯留タンクなどを覆い隠すための腰板１５が取り付けられる。
【００１８】
上部島枠４と下部島枠５との間には、複数の遊技機間で所定の間隔を設けるための複数の間仕切り８が、遊技機の横幅寸法に当該遊技機に隣接されてパチンコ玉の貸し出しを制御する玉貸機２の横幅寸法を加えた値とほぼ同一の間隔をあけて取り付けられている。そして、上部島枠４、下部島枠５、及び隣接する２本の間仕切り８によって区画された空間が１台の遊技機を設置するための設置空間１０として構成されている。なお、図１及び図２中には、木製材料から形成されて遊技機内枠（図示しない本体枠や遊技盤から構成される部材）の外周部分を覆う矩形状の外枠９と、該外枠９の下辺前端に取り付けられる装飾カバー板１１と、外枠９の一側上下に取り付けられて本体枠を外枠９に対して開閉自在に軸支する金属製の上下の各開閉軸１２，１３と、上部島枠４の後側上面に取り付けられて遊技機から排出されたパチンコ玉を図示しない回収樋に送り込むアウト玉箱１６と、遊技機（外枠９）に隣接して設けられる玉貸機２と、が設置空間１０に取り付けられた状態を図示している。また、遊技機は、装飾カバー板１１及び開閉軸１２，１３が取り付けられた外枠９と、該外枠９内に取り付けられる遊技機内枠とから構成されるものである。
【００１９】
また、設置空間１０を区画形成する下部島枠５には、遊技機を当該設置空間１０内に固定するための下側遊技機固定装置２０が左右２箇所に取り付けられている。一方、設置空間１０を区画形成する上部島枠４には、傾斜角度（ねかせ角度）を調整可能に遊技機を当該設置空間１０内に固定するための上側遊技機固定装置５０が左右２箇所に取り付けられている。なお、下側遊技機固定装置２０は、下部島枠５の上面に固定された支承板７を介して下部島枠５に取り付けられるようになっている。
【００２０】
次に、下側遊技機固定装置２０の構成について、図２乃至図１０を参照して説明する。図２は、遊技島台１を構成する支承板７上に設けられる下側遊技機固定装置２０を示す斜視図である。図３は、外枠９と下側遊技機固定装置２０を構成する外枠押込機構２２とを示す斜視図である。図４は、外枠９と下側遊技機固定装置２０を構成する外枠押込機構２２及び外枠支持機構２１とを示す斜視図である。図５は、下側遊技機固定装置２０によって下辺部分が固定された外枠９を示す斜視図である。図６は、外枠押込機構２２を示す斜視図である。図７は、外枠押込機構２２を示す縦断面図である。図８は、下側遊技機固定装置２０による外枠９の固定方法を示す側面図である。図９は、下側遊技機固定装置２０による外枠９の固定方法を示す側面図である。図１０は、下側遊技機固定装置２０による外枠９の固定方法を示す側面図である。
【００２１】
図２乃至図５に示すように、下側遊技機固定装置２０は、下部島枠５上に固定された支承板７の前端に設けられて外枠９の下辺前端に取り付けられた装飾カバー板１１の前面を支持する外枠支持機構２１と、支承板７の後端側の上面に設けられて外枠９の下辺後端を前方に押し込む外枠押込機構２２と、から構成されている。外枠支持機構２１は、外枠９の底面とほぼ同一の横長方形状に形成されて設置空間１０内に配される外枠９の底面と当接する当接板２３と、該当接板２３の左右両側の前端位置となる支承板７に埋設される左右一対の取付凹部２４（取付部）と、該左右一対の取付凹部２４と個々に係合する左右一対の支持部材２５（下側支持部材）と、を備えている。支持部材２５は、取付凹部２４内に嵌入することで当該支持部材２５を設置空間１０の下側前端に取り付ける取付片部２５ａと、該取付片部２５ａが取付凹部２４内に嵌入した状態で支承板７の前端上面と当接する当接片部２５ｂと、外枠９に取り付けられた装飾カバー板１１を前方から支持する支持片部２５ｃと、を有した断面折曲形状に形成されている。なお、支持部材２５は、取付片部２５ａが取付凹部２４に対して嵌入及びその解除が可能に設けられることで、設置空間１０の下側前端位置で着脱自在となっている。
【００２２】
一方、外枠押込機構２２は、図６及び図７に示すように、支承板７の後端上面に取り付け固定（例えば、ビス止め等）されるベース板３０と、該ベース板３０の上面に取り付けられる下側弾性押圧保持手段としてのクランプ部材３１と、ベース板３０にスライド移動可能に取り付けられて外枠９の下辺後端を押し込む下側固定部材としてのスライド押込板３２と、を備えている。クランプ部材３１は、ベース板３０上に支軸３３を中心として回動自在に取り付けられた連結部材３４（下側弾性押圧保持手段）を介してベース板３０の上面に取り付けられるようになっており、支軸３３によって取り付けられた連結部材３４の一端部とは反対側となる連結部材３４の他端部に支軸３５を中心として回動自在にクランプ部材３１が取り付けられる。
【００２３】
なお、支軸３５を介してクランプ部材３１を取り付ける連結部材３４の軸取付穴（図示しない）は、連結部材３４の長手方向に沿った長穴形状に形成されている。これにより、クランプ部材３１は、連結部材３４に形成された軸取付穴の穿設方向（連結部材３４の長手方向）に沿ってスライド移動可能となっており、このようなスライド移動を規制すべくクランプ部材３１と連結部材３４との間には、クランプ部材３１を常時、連結部材３４の他端方向（図７に示す左方向）に付勢するスライド規制バネ３６（下側弾性押圧保持手段）が設けられている。また、支軸３５が設けられたクランプ部材３１の一端部とは反対側となるクランプ部材３１の他端部には、後述するスライド押込板３２の係止穴３９ａと係合する係合爪３７が形成されており、支軸３５が設けられたクランプ部材３１の一端部は、係合爪３７を係止穴３９ａに係合させた状態でベース板３０に対するスライド押込板３２のスライド移動を保持する、言い換えればベース板３０に対してスライド押込板３２をクランプするクランプ操作部３８として形成されている。
【００２４】
スライド押込板３２は、長板形状の金属板からなると共に、ベース板３０に設けられた挿通穴３０ａを挿通して取り付けられることで、クランプ部材３１及び連結部材３４の長手方向に沿ってスライド移動可能に設けられている。スライド押込板３２の一端部は、断面Ｌ字状に折曲されて外枠９の下辺後端を押し込む押込部３２ａとして形成されている。一方、スライド押込板３２の他端部には、クランプ部材３１の係合爪３７と係合する係止穴３９ａを形成した係止片３９（下側弾性押圧保持手段）が一体的に設けられている。
【００２５】
次に、以上説明した下側遊技機固定装置２０によって遊技機（外枠９）を設置空間１０内に固定する手順について、図８乃至図１０を参照して説明する。先ず、図８に示すように、外枠９を設置空間１０の前方から挿し入れる。このとき、外枠支持機構２１を構成する支持部材２５は、外枠９の設置空間１０内への挿入を阻害しないように取付凹部２４から取り外された状態にある。また、外枠押込機構２２は、クランプ部材３１によるスライド押込板３２のクランプを解除した状態にある。その後、設置空間１０内に外枠９が挿入されると、図９に示すように、取付片部２５ａを取付凹部２４内に嵌入することで、当接片部２５ｂを支承板７の前端上面と当接させた状態で支持部材２５を取付凹部２４に取り付ける。
【００２６】
なお、このとき、外枠９は、その前端（装飾カバー体１１の前面）が取付凹部２４よりも後方となる位置、言い換えれば、外枠９の下辺部分で取付凹部２４を覆い隠さない位置まで挿入される。一方、支持部材２５は、支持片部２５ｃが当接片部２５ｂよりも前方に位置するように取付凹部２４に取り付けられる。また、当接片部２５ｂと当接する支承板７の前端上面、言い換えれば、取付凹部２４よりも前側の支承板７の上面部分は、取付凹部２４よりも後側の支承板７の上面部分（当接板２３が設けられた支承板７の上面部分）に比べて当接片部２５ｂの厚さ寸法分だけ低い高さ寸法に設定されている。即ち、支持部材２５が取付凹部２４に取り付けられた状態で、取付凹部２４に当接する当接片部２５ｂの上面と取付凹部２４よりも後側の支承板７の上面（当接板２３の上面）とが面一になるように設定されている。
【００２７】
その後は、図１０に示すように、取付凹部２４よりも後方に挿入された外枠９をその前端（装飾カバー体１１の前面）が支持片部２５ｃと当接する位置まで前方にスライド移動させる。そして、押込部３２ａが外枠９の下辺裏面と当接する位置までスライド押込板３２を前方にスライド移動させ、この状態で、クランプ部材３１の係合爪３７をスライド押込板３２の係止穴３９ａに係合させてクランプ操作部３８を押圧操作することで、外枠９の下辺裏面を押圧する方向にスライド規制バネ３６の弾性力で付勢しながらスライド押込板３２をクランプする。これにより、支持部材２５とスライド押込板３２の押込部３２ａとの間で外枠９の下辺を挟持固定する。
【００２８】
次に、上側遊技機固定装置５０の構成について、図１１及び図１２を参照して説明する。図１１は、外枠９及び上側遊技機固定装置５０が取り付けられた上部島枠４を示す斜視図である。図１２は、上部島枠４に取り付けられた上側遊技機固定装置５０を示す斜視図である。
【００２９】
図１１及び図１２に示すように、上側遊技機固定装置５０は、上部島枠４の後端部分にビス止めされる取付ベース５１と、該取付ベース５１にスライド移動可能に取り付けられるスライド部材５２と、該スライド部材５２に取り付けられて外枠９の上辺部分の下面を上方に押圧して固定する押圧固定部材５３と、を備えている。取付ベース５１は、長板状の基板部５４を備えた金属板が折曲されて形成されている。基板部５４の前端側には、取付ベース５１を上部島枠４の後端部分にビス止めするための取付穴５５を穿設したビス止めフランジ部５６が折曲形成されている。一方、基板部５４の後端側には、ネジ穴５７を穿設した取付フランジ部５８が折曲形成されている。ネジ穴５７には、取付ベース５１に対してスライド部材５２をスライド操作するためのスライド移動軸５９が取り付けられている。スライド移動軸５９は、ネジ穴５７と螺合する雄ネジ部５９ａが形成されたボルトから構成され、その後端には、当該スライド移動軸５９を回転操作するための操作部５９ｂが設けられている。
【００３０】
また、取付ベース５１の基板部５４には、スライド部材５２のスライド方向となるその長手方向に沿って長穴６０が穿設されており、該長穴６０には、取付ベース５１に対してスライド部材５２を保持するための保持ボルト６１が取り付けられている。保持ボルト６１は、雄ネジ部６１ａが長穴６０を挿通して取り付けられ、その上端には、当該保持ボルト６１を回転操作するための操作部６１ｂが設けられている。なお、保持ボルト６１は、後述するスライド部材５２のネジ穴６４に対する雄ネジ部６１ａの捻じ込み量によって、取付ベース５１に対してスライド部材５２がスライド移動可能な状態とスライド移動不可能な状態との２つの状態でスライド部材５２の保持を行うようになっている。また、基板部５４の短手方向の両端には、それぞれスライド部材５２のスライド移動を案内するための案内フランジ部６２が下方に折曲形成されている。即ち、左右一対の案内フランジ部６２が形成された基板部５４は、後述するスライド部材５２のスライド基部６３を内嵌する断面凹形状に形成されている。なお、案内フランジ部６２の外壁面には、後述するスライド部材５２の取付フランジ部６８に設けられる目盛り線６８ａとの間で、取付ベース５１に対するスライド部材５２のスライド移動量を目測できるようにするための目盛り線６２ａが設けられている。
【００３１】
スライド部材５２は、長板状のスライド基部６３を備えた金属板が折曲されて形成されている。スライド基部６３には、前述した保持ボルト６１の雄ネジ部６１ａと螺合してスライド部材５２を取付ベース５１に保持するネジ穴６４が穿設されている。スライド基部６３の前側には、押圧固定部材５３を取り付けるための取付壁面部６５が折曲形成されている。取付壁面部６５は、後方から前方に向けた上がり傾斜面に形成され、そのほぼ中央部分には、後述する平行移動軸７３を取り付けるためのネジ穴（図示しない）が穿設されている。また、取付壁面部６５の前端には、上側遊技機固定装置５０によって外枠９を固定する際、外枠９の上辺部分の後端面と当接する当接壁面部６６ａと外枠９の上辺部分の上端面と当接する上端当接壁面部としての当接壁面部６６ｂとが「く」の字状に折曲して形成されている。一方、スライド基部６３の後端側には、取付穴（図示しない）を穿設した取付フランジ部６８が折曲形成されている。取付フランジ部６８の取付穴には、前後一対のナット５９ｃによってスライド移動軸５９の前端部分が回転自在に取り付けられる。なお、取付フランジ部６８の側端部分には、スライド部材５２のスライド移動量を目測するための目盛り線６８ａが設けられている。
【００３２】
そして、スライド部材５２は、上部島枠４の後端部分にビス止めされた取付ベース５１の基板部５４及び左右の案内フランジ部６２によって形成された凹部内にスライド基部６３が内嵌され、この状態で取付ベース５１の長穴６０を挿通した保持ボルト６１の雄ネジ部６１ａがネジ穴６４と螺合されることにより取付ベース５１に保持される。また、このとき、スライド部材５２は、ネジ穴６４に対する雄ネジ部６１ａの捻じ込み量に応じて、取付ベース５１に対してスライド移動可能な状態、あるいはスライド移動不可能な状態のいずれかの状態で保持が行われる。また、このような取付状態において、スライド部材５２の取付壁面部６５は、水平面となる上部島枠４の下面に対して後方から前方に向けた上がり傾斜面として配置される。
【００３３】
押圧固定部材５３は、金属板が折曲されて、左右の側壁面６９及び第一の取付面としての下壁面７０を備えた断面凹形状に形成されている。左右の側壁面６９は、それぞれスライド部材５２の取付壁面部６５の両端を個々に外嵌する形状に形成されている。下壁面７０は、そのほぼ中央部分に取付穴（図示しない）が穿設されており、該取付穴には、ナット（図示しない）によって平行移動軸７３の下端部分が回転自在に取り付けられている。平行移動軸７３は、スライド部材５２のネジ穴と螺合する雄ネジ部（図示しない）が形成されたボルトから構成され、その下端には、当該平行移動軸７３を回転操作するための操作部７３ｂが設けられている。また、下壁面７０の前端側は、前方に延設されており、その先端部分は、上方にほぼ直角に折曲されて複数（実施形態中では、３つ）の押圧爪部７４が形成されている。
【００３４】
そして、押圧固定部材５３は、スライド部材５２のネジ穴に対する捻じ込み及び捻じ込み解除が可能な平行移動軸７３を介してスライド部材５２の取付壁面部６５に取り付けられることで、下壁面７０が取付壁面部６５に対して常に平行な状態で移動（平行移動）可能に設けられる。また、このような取付状態において、押圧固定部材５３の下壁面７０は、水平な上部島枠４の下面に対して傾斜面となるスライド部材５２の取付壁面部６５と常に平行な状態となるため、取付壁面部６５と同様に後方から前方に向けた上がり傾斜面として配置される。
【００３５】
なお、このように押圧固定部材５３の下壁面７０が後方から前方に向けた上がり傾斜面として上部島枠４の下方に配置されることで、下壁面７０の下方における平行移動軸７３の操作部７３ｂが設置空間１０の前方に向かって若干傾斜した状態で配置される。このため、後で詳述する上側遊技機固定装置５０による外枠９の固定作業を行う場合には、平行移動軸７３の操作部７３ｂが前方に若干傾斜されていることで、操作部７３ｂを回転操作し易くなっている。
【００３６】
次に、以上説明した上側遊技機固定装置５０によって遊技機（外枠９）を設置空間１０内で傾斜角度の調整を可能に固定する手順について説明する。なお、上側遊技機固定装置５０による外枠９の固定作業は、遊技機の傾斜角度の調整を考慮すれば、前述した下側遊技機固定装置２０による外枠９の固定作業が完了した後に行われることが望ましく、以下の説明では、設置空間１０内への外枠９の挿入が完了していることを前提として説明を行う。先ず、外枠９の上辺上面が当接壁面部６６ｂと当接された状態で外枠９の上辺後端面が当接壁面部６６ａと当接されて設置空間１０内への外枠９の挿入が完了すると、平行移動軸７３を取付壁面部６５のネジ穴に捻じ込むことで、押圧固定部材５３をスライド部材５２に近づく方向に平行移動し、最終的に、押圧爪部７４が外枠９の上辺下面（上辺部分の内側面）に刺し込まれながら当該上辺下面を上方に押し込む位置まで押圧固定部材５３を平行移動させる。これにより、押圧固定部材５３（押圧爪部７４）とスライド部材５２の当接壁面部６６ｂとの間で外枠９の上辺を挟持固定する。
【００３７】
その後、上記したように押圧固定部材５３とスライド部材５２の当接壁面部６６ｂとの間で外枠９の上辺部分を固定した状態から、取付ベース５１に設けたスライド移動軸５９の操作部５９ｂを回転操作することによって、取付フランジ部５８に穿設されたネジ穴５７に対して雄ネジ部５９ａを捻じ込み又は捻じ込み解除する。これにより、取付ベース５１に対してスライド部材５２が前後方向にスライド移動するので、押圧固定部材５３とスライド部材５２の当接壁面部６６ｂとの間で挟持固定された遊技機（外枠９）は、前述したように下側部分が下側遊技機固定装置２０によって固定された状態で、上側部分が上側遊技機固定装置５０によって前後方向にスライド移動することになり、これによって、前後方向への傾斜角度（ねかせ角度）が調整されるようになっている。また、スライド部材５２が前後方向にスライド移動されて遊技機の傾斜角度が決定したら、スライド部材５２のネジ穴６４に対する保持ボルト６１（雄ネジ部６１ａ）の捻じ込みを強めることで、スライド移動軸５９を回転操作しても、取付ベース５１に対してスライド部材５２がスライド移動しない保持状態で固定される。
【００３８】
ところで、上記したようにスライド部材５２の当接壁面部６６ｂとの間で外枠９の上辺を挟持固定する押圧固定部材５３の下壁面７０は、後方から前方に向けた上がり傾斜面となるスライド部材５２の取付壁面部６５に対して常に平行な状態で移動（平行移動）するようになっている。このため、下壁面７０の前端で上方にほぼ直角に折曲して設けられた押圧爪部７４は、外枠９の上辺部分の厚さ寸法に関わらず、外枠９を一定の押し込み角度で押し込むことになるので、押圧爪部７４によって外枠９を押し込む強さ（遊技機の固定強度）を一定にすることができ、その結果、上辺部分の厚さ寸法に関わらず遊技機を確実に固定することができる。
【００３９】
また、上側遊技機固定装置５０の構成によれば、スライド部材５２に設けられた当接壁面部６６ａで外枠９の上辺部分の後端面を後方から支持し、この状態から、押圧固定部材５３を平行移動させて、当該押圧固定部材５３とスライド部材５２に設けられた当接壁面部６６ｂとの間で外枠９の上辺部分を挟持固定することにより、遊技機の上側部分を設置空間１０内に固定する。ところで、従来では、遊技機の上側部分を固定する場合、外枠の上辺部分と上部島枠とを遊技機固定装置で挟み込んで固定していた。このため、外枠の上辺部分と上部島枠との隙間が広いようなときには、外枠の上辺部分を無理やり上部島枠側に押さえ付けていたので、外枠に変形や破損が生じるという不具合があった。これに対して、上側遊技機固定装置５０の構成によれば、外枠９の上辺部分と上部島枠４との隙間が広いような場合でも、外枠９の上辺部分を無理やり上部島枠４側に押さえ付ける必要がないので、外枠９に変形や破損を生じさせることなく、遊技機の上側部分を確実に固定することができる。
【００４０】
また、上側遊技機固定装置５０の構成によれば、スライド部材５２が取付ベース５１に対して前後方向にスライド移動可能に取り付けられる。このため、スライド部材５２のスライド移動量を調整することで、スライド部材５２が外枠９の後端面を支持する位置を前後方向に変更することができ、結果として、遊技機のねかせ角度の調整を可能にしている。
【００４１】
なお、上記した実施形態では、下側遊技機固定装置を構成する外枠支持機構として、取付凹部２４に対して着脱可能な支持部材２５からなる外枠支持機構２１を例示しているが、この構成に限定するものではなく、以下に示す外枠支持機構８０の構成としてもよい。そこで、変形例における下側遊技機固定装置２０’の外枠支持機構８０について図１３及び図１８を参照して説明する。図１３乃至図１５は、変形例における外枠支持機構８０が取り付けられた下部島枠５と外枠９とを示す分解斜視図である。図１６乃至図１８は、変形例における外枠支持機構８０を備えた下側遊技機固定装置２０’による外枠９の固定方法を示す側面図である。また、以下に示す変形例の構成は、下側遊技機固定装置２０’を構成する外枠支持機構８０を除いて前述した実施形態と同一の構成であるため、それ以外の構成については前述した実施形態と同一の符号を付記すると共にその詳細な説明を省略する。
【００４２】
変形例における下側遊技機固定装置２０’は、図１３乃至図１８に示すように、下部島枠５上に固定された支承板７の前端に設けられて外枠９の下辺前端に取り付けられた装飾カバー板１１の前面を支持する外枠支持機構８０と、支承板７の後端側の上面に設けられて外枠９の下辺後端を前方に押し込む外枠押込機構２２と、から構成されている。なお、下側遊技機固定装置２０’を構成する外枠押込機構２２は、前述の実施形態と同一の構成であり、その詳細な説明は省略する。
【００４３】
外枠支持機構８０は、外枠９の底面よりも若干大きめの横長方形状に形成されて設置空間１０内に配される外枠９の底面と当接する当接板８１と、該当接板８１の左右両側の前端位置となる支承板７に取り付けられる左右一対の支持部材８２（下側支持部材）と、を備えている。支持部材８２は、蝶番構造（蝶番部８２ａ）によって連結された取付板８３及び支持板８４から構成されている。取付板８３には、当該支持部材８２を支承板７にビス８５で取り付けるための取付部としての取付穴８６が穿設されている。一方、支持板８４は、蝶番部８２ａを介した取付板８３との取付係合によって、取付板８３の板面に対して平行になる位置（図１６に示す位置）と取付板８３の板面に対して垂直になる位置（図１７に示す位置）との間で移行可能に設けられている。なお、支承板７上に設けられる当接板８１及び支持部材８２の取付板８３は、それぞれ上端面が面一になるようにほぼ同一の厚さ寸法に設定されている。
【００４４】
次に、以上説明した下側遊技機固定装置２０’によって遊技機（外枠９）を設置空間１０内に固定する手順について説明する。先ず、図１６に示すように、外枠９を設置空間１０の前方から挿し入れる。このとき、外枠支持機構８０を構成する支持部材８２の支持板８４は、外枠９の設置空間１０内への挿入を阻害しないように取付板８３の板面に対して平行になる位置に折り畳まれた状態にある。また、外枠押込機構２２は、クランプ部材３１によるスライド押込板３２のクランプを解除した状態にある。その後、設置空間１０内に外枠９が挿入されると、図１７に示すように、支持板８４を取付板８３の板面に対して垂直になる位置に起立させる。
【００４５】
その後は、図１８に示すように、外枠９をその前端（装飾カバー体１１の前面）が支持板８４と当接する位置まで前方にスライド移動させる。そして、押込部３２ａが外枠９の下辺裏面と当接する位置までスライド押込板３２を前方にスライド移動させ、この状態で、クランプ部材３１の係合爪３７をスライド押込板３２の係止穴３９ａに係合させてクランプ操作部３８を押圧操作することで、外枠９の下辺裏面を押圧する方向にスライド規制バネ３６の弾性力で付勢しながらスライド押込板３２をクランプする。これにより、支持板８４とスライド押込板３２の押込部３２ａとの間で外枠９の下辺を挟持固定する。
【００４６】
また、下側遊技機固定装置を構成する外枠押込機構についても、前述したスライド規制バネ３６を備えた外枠押込機構２２に限定するものではなく、以下に示す外枠押込機構１００の構成としてもよい。外枠押込機構１００について図１９及び図２０を参照して説明する。図１９は、変形例における外枠押込機構１００が取り付けられた遊技島台１を示す斜視図である。図２０は、変形例における外枠押込機構１００を示す斜視図である。
【００４７】
図１９及び図２０に示すように、外枠押込機構１００は、支承板７の上面にビス止めされる取付ベース１０１と、該取付ベース１０１にスライド移動可能に取り付けられる下側固定部材としてのスライド部材１０２と、該スライド部材１０２に取り付けられて外枠９の下辺部分の上面を下方に押圧して固定する押圧固定部材１０３と、を備えている。取付ベース１０１は、断面Ｌ字状に折曲された金属板から構成されている。取付ベース１０１の底壁面１０１ａには、取付ベース１０１を支承板７にビス止めするための取付穴（図示しない）が穿設され、底壁面１０１ａの両端には、それぞれスライド部材１０２をスライド移動可能に取り付けるための取付凹部１０５を形成するための金属片１０６ａ，１０６ｂがボルト１０７で取り付けられている。一方、取付ベース１０１の立壁面１０１ｂには、ネジ穴１０８が穿設されており、該ネジ穴１０８には、取付ベース１０１に対してスライド部材１０２をスライド操作するためのスライド移動軸１０９が取り付けられている。スライド移動軸１０９は、ネジ穴１０８と螺合する雄ネジ部１０９ａが形成されたボルトから構成され、その後端には、当該スライド移動軸１０９を回転操作するための操作部１０９ｂが設けられている。
【００４８】
スライド部材１０２は、金属板が折曲されて、左右の側壁面１１０、上壁面１１１、及び後壁面１１２を備えた立方体形状に形成されている。左右の側壁面１１０の下端には、それぞれ前述した取付ベース１０１の取付凹部１０５内に嵌入されてスライド部材１０２を取付ベース１０１に対してスライド移動可能に取り付ける取付凸部１１３が外方に突出形成されている。なお、左右の側壁面１１０の前端部分は、それぞれ外枠押込機構１００によって外枠９を固定する際、外枠９の下辺部分の後端面と当接する当接部１１０ａを構成している。上壁面１１１は、後方から前方に向けた下り傾斜面に形成され、そのほぼ中央部分には、後述する平行移動軸１２０を取り付けるためのネジ穴（図示しない）が穿設されている。後壁面１１２には、スライド移動軸１０９の前端に設けられた前後一対のナット（図示しない）によってスライド移動軸１０９を回転自在に取り付ける取付切欠部１１５が穿設されている。
【００４９】
そして、スライド部材１０２は、支承板７上にビス止めされた取付ベース１０１の取付凹部１０５に取付凸部１１３が内嵌して取り付けられることで、支承板７上で前後方向にスライド移動可能に設けられる。また、このような取付状態において、スライド部材１０２の上壁面１１１は、水平面となる支承板７の上面に対して後方から前方に向けた下り傾斜面として配置される。
【００５０】
押圧固定部材１０３は、金属板が折曲されて、左右の側壁面１１６及び上壁面１１７を備えた断面凹形状に形成されている。左右の側壁面１１６は、それぞれスライド部材１０２の左右の側壁面１１０を個々に外嵌する形状に形成されている。上壁面１１７は、そのほぼ中央部分に取付穴（図示しない）が穿設されており、該取付穴には、ナット（図示しない）によって平行移動軸１２０の上端部分が回転自在に取り付けられている。平行移動軸１２０は、スライド部材１０２のネジ穴と螺合する雄ネジ部が形成されたボルトから構成され、その上端には、当該平行移動軸１２０を回転操作するための操作部１２０ａが設けられている。また、上壁面１１７の前端側は、前方に延設されており、その先端部分は、下方にほぼ直角に折曲されて複数（実施形態中では、３つ）の押圧爪部１２１が形成されている。
【００５１】
そして、押圧固定部材１０３は、上壁面１１１のネジ穴に対する捻じ込み及び捻じ込み解除が可能な平行移動軸１２０を介してスライド部材１０２の上壁面１１１に取り付けられることで、上壁面１１７が上壁面１１１に対して常に平行な状態で移動（平行移動）可能に設けられる。また、このような取付状態において、押圧固定部材１０３の上壁面１１７は、水平な支承板７の上面に対して傾斜面となるスライド部材１０２の上壁面１１１と常に平行な状態となるため、上壁面１１１と同様に後方から前方に向けた下り傾斜面として配置される。
【００５２】
なお、このように押圧固定部材１０３の上壁面１１７が後方から前方に向けた下り傾斜面として支承板７上に配置されることで、上壁面１１７上における平行移動軸１２０の操作部１２０ａが設置空間１０の前方に向かって若干傾斜した状態で配置される。ところで、後で詳述する外枠押込機構１００による外枠９の固定作業を行う場合、遊技島台１の外側から外枠９の枠内空間に身を乗り入れて作業を行うものであるが、このような作業を行うときには、平行移動軸１２０の操作部１２０ａが前方に若干傾斜されていることで、操作部１２０ａを回転操作し易くなっている。
【００５３】
しかして、以上説明した外枠押込機構１００によって外枠９の下側部分を設置空間１０内に固定する場合、先ず、外枠９を設置空間１０の前方から挿し入れる。このとき、押圧固定部材１０３は、平行移動軸１２０の捻じ込み解除によって、スライド部材１０２から遠ざかる方向に平行移動され、押圧爪部１２１と支承板７との間隔が外枠９の下辺部分の厚さ寸法よりも大きくとられることで、外枠９の設置空間１０内への挿入を押圧爪部１２１が阻害しない位置に移動されている。また、スライド部材１０２は、スライド移動軸１０９の捻じ込み解除によって後方向にスライド移動されて、外枠９の設置空間１０内への挿入を阻害しない位置に移動されている。
【００５４】
その後、設置空間１０内に外枠９が挿入されると共に、該外枠９の前端（装飾カバー体１１の前面）が外枠支持機構と当接するように配置されると、スライド部材１０２は、スライド移動軸１０９の捻じ込みによって前方向にスライド移動されて、当接部１１０ａが外枠支持機構との間で外枠９の下辺部分を挟持固定する。また、このような外枠９の前後方向での挟持固定に加えて、平行移動軸１２０の捻じ込みによって、押圧固定部材１０３をスライド部材１０２に近づく方向に平行移動し、最終的に、押圧爪部１２１が外枠９の下辺上面に刺し込まれながら当該下辺上面を下方に押し込む位置まで押圧固定部材１０３を平行移動させる。これにより、押圧固定部材１０３（押圧爪部１２１）と支承板７との間で上下方向にも外枠９の下辺を挟持固定する。
【００５５】
ところで、上記したように支承板７との間で外枠９の下辺を挟持固定する押圧固定部材１０３の上壁面１１７は、後方から前方に向けた下り傾斜面となるスライド部材１０２の上壁面１１１に対して常に平行な状態で移動（平行移動）するようになっている。このため、上壁面１１７の前端で下方にほぼ直角に折曲して設けられた押圧爪部１２１は、外枠９の下辺部分の厚さ寸法に関わらず、外枠９を一定の押し込み角度で押し込むことになるので、押圧爪部１２１によって外枠９を押し込む強さ（遊技機の固定強度）を一定にすることができ、その結果、下辺部分の厚さ寸法に関わらず遊技機を確実に固定することができる。
【００５６】
また、押圧爪部１２１で外枠９の平坦面となる下辺上面（下辺部分の内側面）を押圧固定する構成において、押圧爪部１２１は、下辺上面に刺し込まれながら当該下辺上面を前方から後方に向けて斜め方向に押圧するようになっている。このため、ねかせ角度を設けることで外枠９の下辺部分の前端側下面に隙間が生じる構成においても、下辺部分に対して垂直方向にのみ押し込みを行うのではなく、押圧爪部１２１が下辺部分に刺し込まれた状態で前方から後方に向けての押し込みも同時に行うので、遊技者側から引張力がかかるような場合でも強固に遊技機を固定することができる。
【００５７】
なお、上記した変形例では、外枠９の下辺部分に対する押圧によって外枠９の固定を行う下側固定部材を、外枠９の下辺部分の裏面を前方に押圧するスライド部材１０２として例示しているが、これに限らず、外枠９の下辺部分を下方に押圧することで外枠９の固定を行う押圧固定部材１０３を本発明に係る下側固定部材としてもよい。
【００５８】
以上のように、本実施形態の構成によれば、遊技機（外枠９）を設置空間１０内に設置する場合、先ず、外枠９の下辺前面の支持を解除した状態に下側支持部材を移行させてから、外枠９を設置空間１０に対して前方から水平方向に挿入する。そして、外枠９が設置空間１０内に配置された状態で、外枠９の下辺前面を支持する状態に下側支持部材としての支持部材２５（８２）を移行し、次いで、外枠９の下辺部分を押圧するように下側固定部材としてのスライド押込板３２（スライド部材１０２、押圧固定部材１０３）を移動させて支持部材２５（８２）とスライド押込板３２（スライド部材１０２、押圧固定部材１０３）との間で外枠９を固定する。これにより、広い設置空間１０を設けることなく遊技機をしっかりと設置空間１０内に設置することができると共に、遊技機の取り付け及び取り外しの作業性を高めることができる。また、スライド押込板３２（スライド部材１０２）との間で外枠９を固定する支持部材２５（８２）は、外枠９を支持した状態で下部島枠５上での取付部（取付凹部２４、取付穴８６）が外枠９の下辺底面に被覆される。このため、遊技者側から不正に下側支持部材による外枠９の支持状態を解除して、遊技機に対して不正行為を行うようなことを防止することができる。
【００５９】
また、下部島枠５上に設けられた取付凹部２４への嵌入が可能な取付片部２５ａと、該取付片部２５ａが取付凹部２４に嵌入した状態で外枠９を前方から支持する支持片部２５ｃと、を有した断面折曲形状に支持部材２５を形成する。そして、取付片部２５ａの取付凹部２４に対する嵌入及びその嵌入解除によって外枠９の下辺部分の前面を支持する状態と当該支持を解除する状態との間で支持部材２５を移行可能にすることで、外枠９の下辺前面を支持した状態と当該支持を解除した状態との間で下側支持部材を移行する構成を簡単な構造で具現化することができる。
【００６０】
また、支持部材８２を下部島枠５にビス止めするための取付板８３と、蝶番部８２ａを介して取付板８３に取り付けられて該取付板８３の板面に対して平行になる位置と垂直になる位置との間で移行可能に設けられた支持板８４と、から支持部材８２を構成する。そして、取付板８３の板面に対して支持板８４を平行になる位置に移行して外枠９の支持を解除する一方、取付板８３の板面に対して支持板８４を垂直になる位置に移行して外枠９を支持することで、外枠９の下辺前面を支持した状態と当該支持を解除した状態との間で下側支持部材を移行する構成を簡単な構造で具現化することができる。
【００６１】
また、下側固定部材としてのスライド押込板３２が外枠９の下辺部分の裏面を押圧する方向に弾性力で付勢しながら当該スライド押込板３２を保持する下側弾性押圧保持手段としての連結部材３４及びスライド規制バネ３６を備える。これにより、支持部材２５（８２）とスライド押込板３２との間で外枠９を挟持固定した状態において、スライド押込板３２は、連結部材３４及びスライド規制バネ３６によって外枠９の下辺裏面を押圧する方向に付勢されながら保持されるので、遊技島台に設置される全ての遊技機を均等に強い保持力で固定することができる。
【００６２】
また、外枠９の下辺部分の内側面の平坦面を押圧固定する位置と当該平坦面の押圧固定を解除する位置との間で平行移動が可能な押圧固定部材１０３を備える。これにより、支持部材２５（８２）とスライド部材１０２との間で外枠９を挟持固定した状態において、押圧固定部材１０３で外枠９の下辺部分の内側面の平坦面を押圧固定することができるので、遊技島台に設置される遊技機を強い保持力で固定することができる。
【符号の説明】
【００６３】
１  遊技島台
２  玉貸機
４  上部島枠
５  下部島枠
８  間仕切り
９  外枠
１０  設置空間
２０  下側遊技機固定装置
２１  外枠支持機構
２２  外枠押込機構
２３  当接板
２４  取付凹部（取付部）
２５  支持部材（下側支持部材）
２５ａ  取付片部
２５ｂ  当接片部
２５ｃ  支持片部
３０  ベース板
３１  クランプ部材
３２  スライド押込板（下側固定部材）
３２ａ  押込部
３４  連結部材（下側弾性押圧保持手段）
３６  スライド規制バネ（下側弾性押圧保持手段）
３７  係合爪
３８  クランプ操作部
３９  係止片
３９ａ  係止穴
５０  上側遊技機固定装置
５１  取付ベース
５２  スライド部材
５３  押圧固定部材
８０  外枠支持機構
８２  支持部材（下側支持部材）
８２ａ  蝶番部
８３  取付板
８４  支持板
８６  取付穴（取付部）
１００  外枠押込機構
１０１  取付ベース
１０２  スライド部材（下側固定部材）
１０３  押圧固定部材（下側固定部材）
１０９  スライド移動軸
【図１】
0005482469.tif 000002
【図２】
0005482469.tif 000003
【図３】
0005482469.tif 000004
【図４】
0005482469.tif 000005
【図５】
0005482469.tif 000006
【図６】
0005482469.tif 000007
【図７】
0005482469.tif 000008
【図８】
0005482469.tif 000009
【図９】
0005482469.tif 000010
【図１０】
0005482469.tif 000011
【図１１】
0005482469.tif 000012
【図１２】
0005482469.tif 000013
【図１３】
0005482469.tif 000014
【図１４】
0005482469.tif 000015
【図１５】
0005482469.tif 000016
【図１６】
0005482469.tif 000017
【図１７】
0005482469.tif 000018
【図１８】
0005482469.tif 000019
【図１９】
0005482469.tif 000020
【図２０】
0005482469.tif 000021